(57)【要約】【課題】カレントミラー回路を構成するトランジスタのしきい値電圧に関係なく所望の電流を供給するようにしたカレントミラー回路を提供する。【解決手段】カレントミラー回路は、第１端子が電圧源ＶＤＤに接続され、ゲート端子及び第２端子が互いに電気的に接続される第１トランジスタＭ１と、第１端子が前記電圧源ＶＤＤに接続され、ゲート端子が前記第１トランジスタのゲート端子に接続される第２トランジスタＭ２と、前記第１トランジスタ及び第２トランジスタのしきい値電圧を補償することができる補償部をなす第３トランジスタＭ３、第４トランジスタＭ４、第１キャパスタＣ１及び第２キャパシタＣ２と、を具備する。【選択図】図３
2006146916.tif 000002
【特許請求の範囲】
【請求項１】
第１端子が電圧源に接続され、ゲート端子及び第２端子が互いに電気的に接続される第１トランジスタと、
第１端子が前記電圧源に接続され、ゲート端子が前記第１トランジスタのゲート端子に接続される第２トランジスタと、
前記第１トランジスタ及び第２トランジスタのしきい値電圧を補償することができる補償部と、を具備することを特徴とするカレントミラー回路。
【請求項２】
前記補償部は、
前記第１トランジスタのゲート端子と前記第２トランジスタのゲート端子の間に互いに直列に接続される第１キャパシタ及び第２キャパシタと、
前記第１キャパシタ及び第２キャパシタの共通端子と前記電圧源の間に設置され、第１制御信号が供給されるときにターンオンされる第３トランジスタと、
前記第２トランジスタのゲート端子と第２端子の間に接続され、前記第１制御信号が供給されるときにターンオンされる第４トランジスタと、を具備することを特徴とする請求項１に記載のカレントミラー回路。
【請求項３】
前記第１制御信号が供給されるときに、前記第１キャパシタは、前記第１トランジスタのしきい値電圧に充電され、前記第２キャパシタは、前記第２トランジスタのしきい値電圧に充電されることを特徴とする請求項２に記載のカレントミラー回路。
【請求項４】
前記第１トランジスタの第２端子に接続され、第２制御信号によってターンオンされる第５トランジスタと、
前記第２トランジスタの第２端子に接続され、前記第２制御信号によってターンオンされる第６トランジスタと、をさらに具備することを特徴とする請求項２に記載のカレントミラー回路。
【請求項５】
前記第１制御信号を供給した後、前記第２制御信号を供給するための制御信号生成部をさらに具備することを特徴とする請求項４に記載のカレントミラー回路。
【請求項６】
前記第５トランジスタに接続され、前記第１トランジスタから前記第５トランジスタを経由して流れる電流量を制御するための電流制御部をさらに具備することを特徴とする請求項４に記載のカレントミラー回路。
【請求項７】
電流ミラー型に接続される第１トランジスタ及び第２トランジスタと、
前記第１トランジスタ及び第２トランジスタのしきい値電圧を補償することができる補償部と、を具備することを特徴とするカレントミラー回路。
【請求項８】
前記補償部は、
前記第１トランジスタ及び第２トランジスタのしきい値電圧にそれぞれ充電される少なくとも２つ以上のキャパシタを具備することを特徴とする請求項７に記載のカレントミラー回路。
【請求項９】
バイアス電流を供給するためのバイアス部と、
前記バイアス電流が供給されるときに駆動される駆動部と、を具備し、
前記バイアス部は、
第１端子が電圧源に接続され、ゲート端子及び第２端子が互いに電気的に接続される第１トランジスタと、
第１端子が前記電圧源に接続され、ゲート端子が前記第１トランジスタのゲート端子に接続される第２トランジスタと、
前記第１トランジスタ及び第２トランジスタのしきい値電圧を補償することができる補償部と、を具備することを特徴とする駆動回路。
【請求項１０】
前記補償部は、
前記第１トランジスタのゲート端子と前記第２トランジスタのゲート端子の間に互いに直列に接続される第１キャパシタ及び第２キャパシタと、
前記第１キャパシタ及び第２キャパシタの共通端子と前記電圧源の間に設置され、第１制御信号が供給されるときにターンオンされる第３トランジスタと、
前記第２トランジスタのゲート端子と第２端子の間に接続され、前記第１制御信号が供給されるときにターンオンされる第４トランジスタと、を具備することを特徴とする請求項９に記載の駆動回路。
【請求項１１】
前記第１制御信号が供給されるときに、前記第１キャパシタは、前記第１トランジスタのしきい値電圧に充電され、前記第２キャパシタは、前記第２トランジスタのしきい値電圧に充電されることを特徴とする請求項１０に記載の駆動回路。
【請求項１２】
前記第１トランジスタの第２端子に接続され、第２制御信号によってターンオンされ、前記第１トランジスタから所定の第１電流が流れるように電流路を提供する第５トランジスタと、
前記第２トランジスタの第２端子と前記駆動部の間に接続され、前記第２制御信号によってターンオンされ、前記第１電流に対応したバイアス電流を前記駆動部に供給するための第６トランジスタと、をさらに具備することを特徴とする請求項１０に記載の駆動回路。
【請求項１３】
前記第１制御信号及び第２制御信号は、順次に供給されることを特徴とする請求項１２に記載の駆動回路。
【請求項１４】
前記バイアス部は、
前記駆動部に少なくとも２つ以上の前記バイアス電流を供給するために、少なくとも一つの出力部をさらに具備することを特徴とする請求項１２に記載の駆動回路。
【請求項１５】
前記出力部のそれぞれは、
前記第１トランジスタと電流ミラー型に接続される第７トランジスタと、
前記第７トランジスタの第２端子とゲート端子の間に接続され、前記第１制御信号が供給されるときにターンオンされる第８トランジスタと、
前記第７トランジスタのゲート端子と前記第１キャパシタの間に接続される第３キャパシタと、
前記第７トランジスタの第２端子と前記駆動部の間に接続され、前記第２制御信号が供給されるときにターンオンされる第９トランジスタと、を具備することを特徴とする請求項１４に記載の駆動回路。
【請求項１６】
前記出力部のそれぞれは、
前記電圧源と前記第３キャパシタの間に接続され、前記第１制御信号が供給されるときにターンオンされる第１０トランジスタと、
前記第３キャパシタと前記第１キャパシタの間に接続され、前記第２制御信号が供給されるときにターンオンされる第１１トランジスタと、をさらに具備することを特徴とする請求項１５に記載の駆動回路。
【請求項１７】
電流ミラー型に接続された第１トランジスタ及び第２トランジスタのしきい値電圧を補償する段階と、
ダイオード形態に接続された前記第１トランジスタを経由して第１電流を供給する段階と、
前記第１電流に対応した第２電流を前記第２トランジスタを経由して供給させる段階と、を含むことを特徴とするカレントミラー回路の駆動方法。
【請求項１８】
前記しきい値電圧を補償する段階は、
前記第１トランジスタのゲート端子に接続された第１キャパシタを、前記第１トランジスタのしきい値電圧に充電する段階と、
前記第２トランジスタのゲート端子に接続された第２キャパシタを、前記第２トランジスタのしきい値電圧に充電する段階と、を含むことを特徴とする請求項１７に記載のカレントミラー回路の駆動方法。
【請求項１９】
前記第１トランジスタに接続される電流制御部において、前記第１電流量を制御する段階をさらに含むことを特徴とする請求項１７に記載のカレントミラー回路の駆動方法。
【発明の詳細な説明】
【技術分野】
【０００１】
本発明は、カレントミラー回路及びこれを利用した駆動回路と駆動方法に関し、特に、電流ミラー型（カレントミラー型）に接続されるトランジスタのしきい値電圧に関係なく所望の電流を供給できるようにしたカレントミラー回路及びこれを利用した駆動回路と駆動方法に関する。
【背景技術】
【０００２】
カレントミラー回路は、入力される電流値に対応して出力される電流値が決定される回路である。このようなカレントミラー回路は、多様な回路に使用されている。
【０００３】
図１は、従来のカレントミラー回路を示す図である。図１を参照すれば、従来のカレントミラー回路は、第１トランジスタＭ１及び第２トランジスタＭ２を具備する。
【０００４】
第１トランジスタＭ１の第１端子は電圧源ＶＤＤに接続される。そして、第１トランジスタＭ１の第２端子及びゲート端子は互いに電気的に接続される。すなわち、第１トランジスタＭ１は、ダイオード形態に接続され、電圧源ＶＤＤに対応した電流Ｉ１を第２端子に供給する。ここで、第１端子はソース端子及びドレイン端子の中でいずれか一つに設定され、第２端子は第１端子と異なる端子に設定される。例えば、第１端子がソース端子に設定されれば第２端子はドレイン端子に設定される。
【０００５】
第２トランジスタＭ２は、第１トランジスタＭ１と電流ミラー型に接続される。このために、第２トランジスタＭ２のゲート端子は、第１トランジスタＭ１のゲート端子に接続され、第１端子は電圧源ＶＤＤに接続される。
【０００６】
第１トランジスタＭ１と第２トランジスタＭ２のチャンネル／長さの割合が同一であると仮定する場合、理想的には、第２トランジスタＭ２に流れる電流Ｉ２は、第１トランジスタＭ１に流れる電流Ｉ１と同じになるように設定される。すなわち、カレントミラー回路は、第１電流Ｉ１を制御して外部に供給される第２電流Ｉ２を制御する。
【０００７】
このようなカレントミラー回路は、多様な部分に応用されて使用される。例えば、カレントミラー回路は、図２に示されたように駆動部２に接続され、バイアス部１として使用されることができる。ここで、バイアス部１は、駆動部２が所望の動作を行うように第２電流Ｉ２（すなわち、バイアス電流）を駆動部２に供給する。駆動部２は第２電流Ｉ２が供給されるときに、あらかじめ設定された所定の動作を行う。例えば、駆動部２はアンプ（増幅）またはバッファーなどの動作を行うことができる。
【０００８】
従来のカレントミラー回路では、第１トランジスタＭ１及び第２トランジスタＭ２のしきい値電圧の差によって第１電圧Ｉ１及び第２電流Ｉ２の間に電流の差が発生し、これによって所望の電流を生成することができないという問題点が発生する。
【０００９】
これを詳しく説明すれば、第１トランジスタＭ１と第２トランジスタＭ２は、工程偏差などによって互いに相異なるしきい値電圧に形成されうる。例えば、第１トランジスタＭ１のしきい値電圧が０．７Ｖに設定され、第２トランジスタＭ２のしきい値電圧が０．３Ｖに設定されうる。
【００１０】
この場合、第１トランジスタＭ１を経由して流れる第１電流Ｉ１と、第２トランジスタＭ２を経由して流れる第２電流Ｉ２は、しきい値電圧の差に対応して互いに異なる電流値に設定され、これによって所望の第２電流を生成することができないという問題点が発生しうる。特に、カレントミラー回路は、発光表示装置の画素部(ピクセル部）等のように電流に敏感な部分に使われるので、第１トランジスタＭ１及び第２トランジスタＭ２のしきい値電圧の違いによって発生する電流偏差は深刻な問題をもたらすおそれがある。
【００１１】
一方、従来のカレントミラー回路に関する技術を記載した文献としては、下記特許文献１等がある。
【特許文献１】国際公開第０１／０２９２５号パンフレット
【発明の開示】
【発明が解決しようとする課題】
【００１２】
したがって、本発明の目的は、電流ミラー型に接続されるトランジスタにおけるしきい値電圧に関係なく所望の電流を供給するようにしたカレントミラー回路及びこれを利用した駆動回路と駆動方法を提供することである。
【課題を解決するための手段】
【００１３】
前記目的を果たすために、本発明の第１側面は、第１端子が電圧源に接続され、ゲート端子及び第２端子が互いに電気的に接続される第１トランジスタと、第１端子が前記電圧源に接続され、ゲート端子が前記第１トランジスタのゲート端子に接続される第２トランジスタと、前記第１トランジスタ及び第２トランジスタのしきい値電圧を補償することができる補償部と、を具備するカレントミラー回路を提供する。
【００１４】
好ましくは、前記補償部は、前記第１トランジスタのゲート端子と前記第２トランジスタのゲート端子の間に互いに直列に接続される第１キャパシタ及び第２キャパシタと、前記第１キャパシタ及び第２キャパシタの共通端子と前記電圧源の間に設置され、第１制御信号が供給されるときにターンオンされる第３トランジスタと、前記第２トランジスタのゲート端子と第２端子の間に接続され、前記第１制御信号が供給されるときにターンオンされる第４トランジスタと、を具備するカレントミラー回路を提供する。
【００１５】
また、前記第１制御信号が供給されるときに、前記第１キャパシタは、前記第１トランジスタのしきい値電圧に充電され、前記第２キャパシタは、前記第２トランジスタのしきい値電圧に充電される。
【００１６】
さらに、前記目的を果たすために、本発明の第２側面は、バイアス電流を供給するためのバイアス部と、前記バイアス電流が供給されるときに駆動される駆動部を具備し、前記バイアス部は、第１端子が電圧源に接続され、ゲート端子及び第２端子が互いに電気的に接続される第１トランジスタと、第１端子が前記電圧源に接続され、ゲート端子が前記第１トランジスタのゲート端子に接続される第２トランジスタと、前記第１トランジスタ及び第２トランジスタのしきい値電圧を補償することができる補償部と、を具備する駆動回路を提供する。
【００１７】
好ましくは、前記補償部は、前記第１トランジスタのゲート端子と前記第２トランジスタのゲート端子の間に互いに直列に接続される第１キャパシタ及び第２キャパシタと、前記第１キャパシタ及び第２キャパシタの共通端子と前記電圧源の間に設置され、第１制御信号が供給されるときにターンオンされる第３トランジスタと、前記第２トランジスタのゲート端子と第２端子の間に接続され、前記第１制御信号が供給されるときにターンオンされる第４トランジスタを具備する。
【００１８】
また、前記第１制御信号が供給されるときに、前記第１キャパシタは、前記第１トランジスタのしきい値電圧に充電され、前記第２キャパシタは、前記第２トランジスタのしきい値電圧に充電される。
【００１９】
さらに、前記目的を果たすために、本発明の第３側面は、電流ミラー型（ミラー形態）に接続された第１トランジスタ及び第２トランジスタのしきい値電圧を補償する段階と、ダイオード形態に接続された前記第１トランジスタを経由して第１電流を供給する段階と、前記第１電流に対応した第２電流を前記第２トランジスタを経由して供給させる段階を含むカレントミラー回路の駆動方法を提供する。
【００２０】
好ましくは、前記しきい値電圧を補償する段階は、前記第１トランジスタのゲート端子に接続された第１キャパシタを、前記第１トランジスタのしきい値電圧に充電する段階と、前記第２トランジスタのゲート端子に接続された第２キャパシタを、前記第２トランジスタのしきい値電圧に充電する段階を含む。
【００２１】
また、前記第１トランジスタに接続される電流制御部において、前記第１電流量を制御する段階をさらに含む。
【発明の効果】
【００２２】
上述したように、本発明の実施形態によるカレントミラー回路及びこれを利用した駆動回路と駆動方法によれば、電流ミラー型に接続されるトランジスタのしきい値電圧と関係なく所望の電流を生成することができる。すなわち、本発明によれば、電流ミラー型に接続されたトランジスタのしきい値電圧誤差を補償して電流を生成することによって、所望の電流を生成することができるという効果がある。
【００２３】
また、本発明のカレントミラー回路をバイアス部として使用することで駆動回路が安定的に駆動されるという効果がある。
【発明を実施するための最良の形態】
【００２４】
以下、添付された図を参照して本発明の好適な実施形態につい図３ないし図１０を参照して詳しく説明する。
【００２５】
図３は、本発明の実施形態によるカレントミラー回路を示す図である。図３を参照すれば、本発明の実施形態によるカレントミラー回路は、電流ミラー（カレントミラー）を成すように（すなわち、電流ミラー型に）接続される第１トランジスタＭ１及び第２トランジスタＭ２と、第１トランジスタＭ１及び第２トランジスタＭ２のしきい値電圧を補償するための補償部１０と、を具備する。
【００２６】
第１トランジスタＭ１の第１端子は電圧源ＶＤＤに接続される。そして、第１トランジスタＭ１の第２端子及びゲート端子は、互いに電気的に接続される。すなわち、第１トランジスタＭ１は、ダイオード形態に接続され、所定の電流を自分の第２端子に供給する。
【００２７】
第２トランジスタＭ２は、第１トランジスタＭ１と電流ミラー型に接続される。このために、第２トランジスタＭ２のゲート端子は、第１トランジスタＭ１のゲート端子に接続され、第１端子は電圧源ＶＤＤに接続される。なお、背景技術で説明した場合と同様に、第１端子はソース端子及びドレイン端子の中でいずれか一つに設定され、第２端子は第１端子と異なる端子に設定される。例えば、第１端子がソース端子に設定されれば第２端子はドレイン端子に設定される。
【００２８】
補償部１０は、第１トランジスタＭ１及び第２トランジスタＭ２それぞれのしきい値電圧偏差と無関係に所望の電流が供給されることができるように第１トランジスタＭ１及び第２トランジスタＭ２のしきい値電圧を補償する。このために、補償部１０は、第３トランジスタＭ３、第４トランジスタＭ４、第１キャパシタＣ１及び第２キャパシタＣ２を具備する。
【００２９】
第１キャパシタＣ１は、第１トランジスタＭ１のゲート端子と第２トランジスタＭ２のゲート端子の間に接続される。このような第１キャパシタＣ１は、第１トランジスタＭ１のしきい値電圧に対応される電圧に充電される。
【００３０】
第２キャパシタＣ２は、第１キャパシタＣ１と第２トランジスタＭ２のゲート端子の間に接続される。このような第２キャパシタＣ２は、第２トランジスタＭ２のしきい値電圧に対応される電圧に充電される。
【００３１】
第３トランジスタＭ３は、第１キャパシタＣ１及び第２キャパシタＣ２の共通ノード（共通端子）である第１ノードＮ１と電圧源ＶＤＤの間に接続される。このような第３トランジスタＭ３は、外部から第１制御信号ＣＳ１がゲートに供給されるときにターンオンされ、電圧源ＶＤＤの電圧を第１ノードＮ１に供給する。
【００３２】
第４トランジスタＭ４は、第２トランジスタＭ２のゲート端子と第２端子の間に接続される。このような第４トランジスタＭ４は、第１制御信号ＣＳ１がゲートに供給されるときに、ターンオンされ、第２トランジスタＭ２をダイオード形態に接続させる。
【００３３】
一方、本実施の形態のカレントミラー回路は、第１トランジスタＭ１の第２端子に接続され、第２制御信号ＣＳ２によってターンオンされる第５トランジスタＭ５と、第２トランジスタＭ２の第２端子に接続され、前記第２制御信号ＣＳ２によってターンオンされる第６トランジスタＭ６と、をさらに具備する。
【００３４】
第５トランジスタＭ５は、第２制御信号ＣＳ２がゲートに供給されるときに第１トランジスタＭ１から供給される電流Ｉ１を第５トランジスタＭ５自体の第２端子に供給する。
【００３５】
第６トランジスタＭ６は、第２制御信号ＣＳ２がゲートに供給されるときに第２トランジスタＭ２から供給される電流Ｉ２を第６トランジスタＭ６自体の第２端子に供給する。すなわち、第２制御信号ＣＳ２が供給され、第５トランジスタＭ５及び第６トランジットＭ６がターンオンされると、第１トランジスタＭ１及び第２トランジスタＭ２を経由して所定の電流Ｉ１、Ｉ２が流れる。
【００３６】
図４は、図３に示されたカレントミラー回路に供給される制御信号を示す図である。図４を参照すれば、カレントミラー回路に供給される第１制御信号ＣＳ１及び第２制御信号ＣＳ２は順次に供給される。ここで、第１制御信号ＣＳ１が供給される第１期間は、第１トランジスタＭ１及び第２トランジスタＭ２のしきい値電圧を補償する期間であり、第２制御信号ＣＳ２が供給される第２期間は、所望の電流を外部に供給する期間である。
【００３７】
図３及び図４を参照して動作過程を詳しく説明すれば、まず、外部から第１制御信号ＣＳ１が供給される。そして、第１制御信号ＣＳ１が供給されることによって、第３トランジスタＭ３及び第４トランジスタＭ４がターンオンされる。
【００３８】
第３トランジスタＭ３がターンオンされると、第１ノードＮ１の電圧が電圧源ＶＤＤの電圧に上昇される。
【００３９】
一方、第４トランジスタＭ４がターンオンされると、第２トランジスタＭ２がダイオード形態に接続される。そして、第２トランジスタＭ２のゲート端子の電圧は、電圧源ＶＤＤの電圧から第２トランジスタＭ２のしきい値電圧Ｖｔｈを差し引いた値に決定される。この結果、第２キャパシタＣ２は、第１ノードＮ１と第２トランジスタＭ２のゲート端子の差の値に対応する第２トランジスタＭ２のしきい値電圧Ｖｔｈに充電される。
【００４０】
そして、第１トランジスタＭ１は、ダイオード形態に接続されているから、第１制御信号ＣＳ１が供給される期間に第１トランジスタＭ１のゲート端子の電圧は、電圧源ＶＤＤの電圧で第１トランジスタＭ１のしきい値電圧Ｖｔｈを差し引いた値に決定される。この場合、第１キャパシタＣ１は、第１ノードＮ１と第１トランジスタＭ１のゲート端子の差の値に対応する第１トランジスタＭ１のしきい値電圧Ｖｔｈに充電される。
【００４１】
すなわち、本発明で第１制御信号ＣＳ１が供給される期間中、第１キャパシタＣ１は、第１トランジスタＭ１のしきい値電圧Ｖｔｈに充電され、第２トランジスタＭ２は、第２トランジスタＭ２のしきい値電圧Ｖｔｈに充電される。
【００４２】
その後、第２制御信号ＣＳ２が供給され、第５トランジスタＭ５及び第６トランジスタＭ６がターンオンされる。第５トランジスタＭ５がターンオンされると、電圧源ＶＤＤに第１トランジスタＭ１及び第５トランジスタＭ５を経由して第１電流Ｉ１が流れる。
【００４３】
そして、第６トランジスタＭ６がターンオンされると、第１電流Ｉ１に対応される第２電流Ｉ２が外部に供給される。ここで、第１トランジスタＭ１及び第２トランジスタＭ２のチャンネル／長さ割合が同一に設定される場合、第１電流Ｉ１及び第２電流Ｉ２は、同じ電流に設定される。言い換えれば、本発明では、第１トランジスタＭ１及び第２トランジスタＭ２のしきい値電圧に関係なく第１電流Ｉ１に対応して所望の第２電流Ｉ２を生成することができる。
【００４４】
すなわち、本発明では第１制御信号ＣＳ１が供給される期間には、第１キャパシタＣ１及び第２キャパシタＣ２が、それぞれ第１トランジスタＭ１のしきい値電圧及び第２トランジスタＭ２のしきい値電圧に充電されるため、第１トランジスタＭ１及び第２トランジスタＭ２のしきい値電圧に関係なく、所望の電流Ｉ２を生成することができるという長所がある。
【００４５】
一方、本発明のカレントミラー回路は、図５のように第１制御信号ＣＳ１及び第２制御信号ＣＳ２を生成するための制御信号生成部２０をさらに具備することができる。制御信号生成部２０は、図４のように第１制御信号ＣＳ１及び第２制御信号ＣＳ２を順次に生成する。すなわち、制御信号生成部２０は、第１制御信号ＣＳ１を供給した後、前記第２制御信号ＣＳ２を供給する。
【００４６】
図６は、本発明の他の実施形態によるカレントミラー回路を示す図である。図６の説明において、図３と同じ構成に対しては、繰り返しの説明を避けるために、詳細な説明を省略する。
【００４７】
図６を参照すれば、本発明の他の実施形態によるカレントミラー回路は、図３に示されたカレントミラー回路に比べて電流制御部３０が追加的に設置される。実際に、本発明の他の実施形態によるカレントミラー回路は、電流制御部３０の構成のみが追加されるだけで、それ以外の構成及び動作過程は図３に示されたカレントミラー回路と同様である。
【００４８】
電流制御部３０は、第５トランジスタＭ５に接続されるように設置される。このような電流制御部３０は、当該電流制御部３０自体に第５トランジスタＭ５から供給される電流量を制御する。すなわち、電流制御部は、第１トランジスタＭ１から前記第５トランジスタＭ５を経由して流れる電流量を制御する。
【００４９】
電流制御部３０で電流量が制御されれば、第６トランジスタＭ６を経由して外部に供給される電流Ｉ２の電流量も制御される。すなわち、本発明の電流制御部３０は、第５トレンジストＭ５を経由して流れる電流Ｉ１を制御することで、第６トランジスタＭ６を経由して出力される電流Ｉ２の電流量を制御することができる。
【００５０】
図７は、本発明のカレントミラー回路を持つ駆動回路の第１実施形態を示す面である。図７を参照すれば、本発明の第１実施形態による駆動回路は、カレントミラー回路（バイアス部）及び駆動部４０を具備する。
【００５１】
駆動部４０は、カレントミラー回路から第２電流Ｉ２の供給を受けて駆動される。実際に、駆動部４０はアンプまたはバッファーなどで構成され、第２電流Ｉ２が供給されるときに、駆動される。ここで、カレントミラー回路が、第１トランジスタＭ１及び第２トランジスタＭ２のしきい値電圧に関係なく、所望の第２電流Ｉ２を供給するので、駆動部４０は安定的に駆動される。
【００５２】
図８は、図７に示された駆動部の一例を示す回路図である。図８を参照すれば、駆動部４０は、第２電流Ｉ２の供給を受ける第２１トランジスタＭ２１及び第２２トランジスタＭ２２と、第２１トランジスタＭ２１と基底電位ＧＮＤの間に接続される第２３トランジスタＭ２３と、第２２トランジスタＭ２２と基底電位ＧＮＤの間に接続され、第２３トランジスタＭ２３と電流ミラー型に接続される第２４トランジスタＭ２４と、を具備する。
【００５３】
第２１トランジスタＭ２１は、当該第２１トランジスタＭ２１自体のゲート端子に供給される電圧に対応して第２電流Ｉ２中の一部電流を第２３トランジスタＭ２３に供給する。ここで、第２１トランジスタＭ２１のゲート端子は、第２２トランジスタＭ２２の第２端子（すなわち、第１１ノードＮ１１）から電圧の供給を受ける。
【００５４】
第２２トランジスタＭ２２は、当該第２２トランジスタＭ２２自体のゲート端子に供給される電圧に対応して第２電流Ｉ２中の残りの電流を第２４トランジスタＭ２４に供給する。
【００５５】
第２３トランジスタＭ２３は、ダイオード形態に接続され、第２１トランジスタから供給される電流を基底電位ＧＮＤに供給する。
【００５６】
第２４トランジスタＭ２４は、第２３トランジスタＭ２３と電流ミラー型に接続され、第２３トランジスタＭ２３と同じ電流を基底電位ＧＮＤに供給する。
【００５７】
駆動部４０は、入力端子と第２２トランジスタＭ２２の間に設置され、第３制御信号ＣＳ３によって制御される第２５トランジスタＭ２５と、入力端子と第２１トランジスタＭ２１のゲート端子の間に設置され、第４制御信号ＣＳ４によって制御される第２６トランジスタと、第２６トランジスタＭ２６と第２１トランジスタＭ２１のゲート端子の間に設置され、第３制御信号ＣＳ３によって制御される第２７トランジスタＭ２７と、第１１ノードＮ１１と出力端子の間に設置され、第４制御信号ＣＳ４によって制御される第２８トランジスタＭ２８と、第２５トランジスタＭ２５と第２６トランジスタＭ２６の間に位置されるキャパシタＣをさらに具備する。
【００５８】
第２５トランジスタＭ５は、第３制御信号ＣＳ３が供給されるときに入力端子に供給される所定の電圧を第２トランジスタＭ２のゲート端子及びキャパシタＣの一側に供給する。
【００５９】
第２６トランジスタＭ２６は、第４制御信号ＣＳ４が供給されるときに入力端子に供給される所定の電圧をキャパシタＣの他側に供給する。
【００６０】
第２７トランジスタＭ７は、第３制御信号ＣＳ３が供給されるときに第１トランジスタＭ１のゲート端子とキャパシタＣの他側を電気的に接続させる。
【００６１】
第２８トランジスタＭ２８は、第４制御信号ＣＳ４が供給されるときに第１１ノードＮ１１に印加された電圧値を出力端子に供給する。
【００６２】
図８及び図９を結び付けて動作過程を詳しく説明すれば、まず、外部から第３制御信号ＣＳ３が供給される。第３制御信号ＣＳ３が供給されれば第２５トランジスタＭ２５及び第２７トランジスタＭ２７がターンオンされる。
【００６３】
第２５トランジスタＭ２５がターンオンされると、入力端子から供給される入力電圧が第２２トランジスタＭ２のゲート端子に供給される。すると、第２２トランジスタＭ２２は、第２２トランジスタＭ２２自体のゲート端子に供給された入力電圧に対応した電流を第１１ノードＮ１１に供給する。
【００６４】
このとき、第１１ノードＮ１１には所定の電圧が印加され、この電圧は第２１トランジスタＭ１のゲート端子に供給される。すると、第２１トランジスタＭ２１は、第２１トランジスタＭ２１自体のゲート端子に供給された入力電圧に対応する電流を第２３トランジスタＭ２３に供給する。
【００６５】
例えば、第２１トランジスタＭ２１のゲート端子電圧より第２２トランジスタＭ２２のゲート端子電圧が低い場合、第２１トランジスタＭ２１に流れる電流が第２２トランジスタＭ２２に流れる電流より高く設定される。言い換れば、第２１トランジスタＭ２１では第２３トランジスタＭ２３にＩ２の２／３にあたる電流を供給することができ、第２２トランジスタＭ２２では第２４トランジスタＭ２４にＩ２の１／３にあたる電流を供給することができる。
【００６６】
このとき、第２３トランジスタＭ２３は基底電位ＧＮＤにＩ２の２／３にあたる電流を供給する。そして、第２３トランジスタＭ２３と電流ミラー型に接続された第２４トランジスタＭ２４も基底電位ＧＮＤにＩ２の２／３にあたる電流を供給する。このために、第１１ノードＮ１１は、第２２トランジスタＭ２２から供給されるＩ２の１／３にあたる電流と、第２１トランジスタＭ２１のゲート端子から供給されるＩ２の１／３にあたる電流の供給を受ける。
【００６７】
したがって、第１１ノードＮ１１の電圧が上昇される。実際に、第１１ノードＮ１１の電圧は、第２１トランジスタＭ２１に流れる電流と、第２２トランジスタＭ２２に流れる電流がほぼ同じくなるまで上昇される。言い換えれば、第１１ノードＮ１１の電圧は第２１トランジスタＭ２１のゲート端子に供給される入力電圧とほぼ同じくなるように上昇される。
【００６８】
一方、第３制御信号ＣＳ３によって第２７トランジスタＭ２７がターンオンされると、第１１ノードＮ１１の電圧はキャパシタＣの他側に供給される。すると、キャパシタＣは、入力電圧と第１１ノードＮ１１に印加される電圧の差にあたる電圧に充電される。
【００６９】
以後、第４制御信号ＣＳ４が供給される。第４制御信号ＣＳ４が供給されれば第２６トランジスタＭ６及び第２８トランジスタＭ２８がターンオンされる。第２６トランジスタＭ２６がターンオンされると、入力電圧がキャパシタＣの他側に供給される。すると、第２２トランジスタＭ２２のゲート端子に、キャパシタＣの充電電圧と入力電圧の合電圧に対応される電圧が供給される。
【００７０】
すると、第１１ノードＮ１１には所定の電圧が印加され、この所定の電圧は第２１トランジスタＭ１のゲート端子と出力端子に供給される。実際に、第１１ノードＮ１１には入力電圧と同じ電圧が現われ、この電圧が出力端子に供給されることによってバッファーとして駆動される。
【００７１】
上述したように本発明の駆動回路に含まれた駆動部４０は、多様な形態の回路に具現されることができる。例えば、本発明の駆動回路は、液晶表示装置及び発光表示装置のような平板ディスプレイ装置に使用することができる。例えば、本発明の駆動回路は、発光表示装置に含まれるバッファー及びアンプなどに使用することができる。
【００７２】
図１０は、本発明のカレントミラー回路を持つ駆動回路の第２実施形態を示す図である。図１０を参照すれば、本発明の第２実施形態による駆動回路は、バイアス部５０及び駆動部６０を具備する。
【００７３】
バイアス部５０は、カレントミラー回路と、カレントミラー回路に接続されるように位置される出力部５４を具備する。ここで、駆動部６０に２個の第２電流Ｉ２を供給すれば、バイアス部５０には一つの出力部５４が含まれ、駆動部に３個の第２電流Ｉ２を供給すれば、バイアス部５０には２個の出力部５４が含まれる。すなわち、バイアス部５０は、駆動部６０に少なくとも２つ以上のバイアス電流を供給するために、出力部をさらに具備する。
【００７４】
出力部５４のそれぞれは、第１トランジスタＭ１と電流ミラー型に接続される第７トランジスタＭ７と、第７トランジスタＭ７のしきい値電圧を補償するための補償部５６及び第９トランジスタＭ９を具備する。
【００７５】
第７トランジスタＭ７は、第１トランジスタＭ１と電流ミラー型に接続される。このために、第７トランジスタＭ７のゲート端子は、第１トランジスタＭ１のゲート端子に接続され、第１端子は電圧源ＶＤＤに接続される。
【００７６】
第９トランジスタＭ９は、第７トランジスタＭ７の第２端子と駆動部６０の間に接続される。このような第９トランジスタＭ９は、第２制御信号ＣＳ２が供給されるときにターンオンされ、第７トランジスタＭ７の第２端子と駆動部６０を電気的に接続させる。
【００７７】
補償部５６は、第７トランジスタＭ７のしきい値電圧を補償する。このために、補償部５６は第８トランジスタＭ８、第１０トランジスタＭ１０、第１１トランジスタＭ１１及び第３キャパシタＣ３を具備する。
【００７８】
第３キャパシタＣ３は、第７トランジスタＭ７のゲート端子と第１ノードＮ１の間に接続される。このような第３キャパシタＣ３は、第７トランジスタＭ７のしきい値電圧に対応する電圧に充電される。
【００７９】
第８トランジスタＭ８は、第７トランジスタＭ７のゲート端子と第２端子の間に接続される。このような第８トランジスタＭ８は、第１制御信号ＣＳ１が供給されるときにターンオンされ、第７トランジスタＭ７をダイオード形態に接続させる。
【００８０】
第１０トランジスタＭ１０は、第３キャパシタＣ３と電圧源ＶＤＤの間に接続される。より具体的には、第３キャパシタＣ３の一側と第１ノードＮ１との間である第２ノードＮ２と、電圧源ＶＤＤとの間に接続される。このような第１０トランジスタＭ１０は、外部から第１制御信号ＣＳ１が供給されるときにターンオンされ、電圧源ＶＤＤの電圧を第２ノードＮ２に供給する。
【００８１】
第１１トランジスタＭ１１は、前期第３キャパシタＣ３と前記第１キャパシタＣ１との間に接続される。具体的には、第１１トランジスタＭ１１は、第１ノードＮ１と第２ノードＮ２の間に接続される。このような第１１トランジスタＭ１１は、第２制御信号ＣＳ２が供給されるときにターンオンされ、第１ノードＮ１と第２ノードＮ２を電気的に接続させる。
【００８２】
動作過程を詳しく説明すれば、まず、第１制御信号ＣＳ１が供給され、第８トランジスタＭ８及び第１０トランジスタＭ１０がターンオンされる。第１０トランジスタＭ１０がターンオンされると、第２ノードＮ２の電圧が電圧源ＶＤＤの電圧に上昇される。第８トランジスタＭ８がターンオンされると、第７トランジスタＭ７がダイオード形態に接続される。第７トランジスタＭ７がダイオード形態に接続されれば、第７トランジスタＭ７のゲート端子の電圧は、電圧源ＶＤＤの電圧から第７トランジスタＭ７のしきい値電圧Ｖｔｈを差し引いた値に決定される。このとき、第３キャパシタＣ３は、第７トランジスタＭ７のしきい値電圧に対応される電圧に充電される。
【００８３】
以後、第２制御信号ＣＳ２が供給され、第９トランジスタＭ９及び第１１トランジスタＭ１１がターンオンされる。そして、第２制御信号ＣＳ２が供給される期間の間、第１トランジスタＭ１を経由して第１電流Ｉ１が流れる。第９トランジスタＭ９がターンオンされると、駆動部６０と第７トランジスタＭ７が電気的に接続される。
【００８４】
第１１トランジスタＭ１１がターンオンされると、第１ノードＮ１と第２ノードＮ２が電気的に接続される。したがって、第１トランジスタＭ１と電流ミラー型に接続された第７トランジスタＭ７では、第１電流Ｉ１に対応した第２電流Ｉ２が駆動部６０に供給されて駆動部６０を駆動させる。
【００８５】
このような本発明において補償部５６に含まれた第１０トランジスタＭ１０及び第１１トランジスタＭ１１は、除去されることができる。第１０トランジスタＭ１０及び第１１トランジスタＭ１１が除去されても第３キャパシタＣ３は、安定的に第７トランジスタＭ７のしきい値電圧に対応される電圧に充電される。すなわち、補償部５６に含まれる第１０トランジスタＭ１０及び第１１トランジスタＭ１１は、補償部５６に追加的に含まれる構成である。
【００８６】
以上、上述したように本発明の詳細な説明と図は、単なる本発明の例示的なものであり、これは単に本発明を説明するための目的で使用されたものであって、意味の限定や特許請求の範囲に記載された本発明の範囲を制限するために使用されたものではない。よって、当業者であれば、前記説明した内容を介して、本発明の技術思想を逸脱しない範囲で多様な変更及び修正が可能である。
【図面の簡単な説明】
【００８７】
【図１】従来のカレントミラー回路を示す回路図である。
【図２】従来のカレントミラー回路を使用した駆動回路を示す図である。
【図３】本発明の実施形態によるカレントミラー回路を示す回路図である。
【図４】図３に示されたカレントミラー回路に供給される制御信号を示す波形図である。
【図５】図３に示されたカレントミラー回路に制御信号生成部が追加された模様を示す図である。
【図６】本発明の他の実施形態によるカレントミラー回路を示す図である。
【図７】本発明のカレントミラー回路を持つ駆動回路の第１実施形態を示す図である。
【図８】図７に示された駆動部の一例を示す回路図である。
【図９】図８に示された駆動部に供給される制御信号を示す図である。
【図１０】本発明のカレントミラー回路を持つ駆動回路の第２実施形態を示す図である。
【符号の説明】
【００８８】
１０、５６    補償部、
２０    制御信号生成部、
３０    電流制御部、
４０、６０    駆動部、
５０    バイアス部、
５４    出力部。
【図１】
2006146916.tif 000003
【図２】
2006146916.tif 000004
【図３】
2006146916.tif 000005
【図４】
2006146916.tif 000006
【図５】
2006146916.tif 000007
【図６】
2006146916.tif 000008
【図７】
2006146916.tif 000009
【図８】
2006146916.tif 000010
【図９】
2006146916.tif 000011
【図１０】
2006146916.tif 000012